(57)【要約】      （修正有）【課題】付勢力が大きい付勢部材を用いた場合でも、付勢力に抗して載置台を容易に下方に向かって押圧することが可能なフィンガネイルプリンタを提供する。【解決手段】このフィンガネイルプリンタ１００は、載置部２と位置決め部３とを備え、載置部２は、載置台と延出部２ｂと付勢部材とを含み、付勢部材の付勢力により指が載置台と位置決め部３との間に固定されるとともに、延出部２ｂを付勢部材の付勢力に抗して下方に向かって押圧することにより、指の抜き差しが可能なように構成されている。【選択図】図２
2020028406.tif 000002
【特許請求の範囲】
【請求項１】
装置本体と、
指を置くための載置部と、
前記載置部の上方に設けられ、前記載置部との間に指を挿入するための挿入口を構成するとともに指を固定するための位置決め部と、
前記載置部に載置された指の爪に対して印刷を行うプリンタヘッドと、を備え、
前記載置部は、前記挿入口を介して前記装置本体の内部から前記装置本体の外部へと延びる載置台と、前記載置台の側方に突出するように設けられた延出部と、前記載置台を前記位置決め部に対して付勢する付勢部材とを含み、
前記付勢部材の付勢力により指が前記載置台と前記位置決め部との間に固定されるとともに、前記延出部を前記付勢部材の付勢力に抗して下方に押圧することにより、指の抜き差しが可能なように構成されている、フィンガネイルプリンタ。
【請求項２】
前記延出部は、前記延出部の上面に前記挿入口に挿入された指以外の指が載置可能な載置領域を含む、請求項１に記載のフィンガネイルプリンタ。
【請求項３】
前記載置領域は、前記載置台の両側に設けられている、請求項２に記載のフィンガネイルプリンタ。
【請求項４】
前記載置領域は、前記載置台の載置面の側方の長さ以上の側方の長さを有している、請求項２または３に記載のフィンガネイルプリンタ。
【請求項５】
前記延出部は、前記載置台の側方に伸縮可能なように構成されている、請求項１〜４のいずれか１項に記載のフィンガネイルプリンタ。
【請求項６】
側方の長さの異なる複数の前記延出部を含むとともに、
各々の前記延出部は、前記載置部に対して脱着可能に構成されている、請求項１〜５のいずれか１項に記載のフィンガネイルプリンタ。
【請求項７】
前記延出部を側方に移動させることにより、前記延出部の長さを調整する調整駆動機構をさらに備える、請求項１〜６のいずれか１項に記載のフィンガネイルプリンタ。
【請求項８】
前記載置台は、指のサイズに関する情報を検知するためのセンサを含み、
前記調整駆動機構は、前記センサの検知結果に基づいて、前記延出部の長さを調整するように構成されている、請求項７に記載のフィンガネイルプリンタ。
【請求項９】
制御部をさらに備え、
前記載置台は、指のサイズに関する情報を検知するためのセンサを含み、
前記制御部は、前記センサの検知結果に基づいて、前記延出部の長さに関する情報を出力するように構成されている、請求項１〜８のいずれか１項に記載のフィンガネイルプリンタ。
【請求項１０】
前記センサは、触感センサである、請求項８または９に記載のフィンガネイルプリンタ。
【請求項１１】
前記載置部の上方に配置された撮像部と、
前記撮像部で撮像した上面の画像を表示部または外部の端末に出力する制御部と、をさらに備え、
前記撮像部は、指の爪部に加えて前記延出部を撮像し、
前記制御部は、前記撮像部による前記延出部の撮像結果に基づいて前記延出部の長さに関する情報を出力するように構成されている、請求項１〜１０のいずれか１項に記載のフィンガネイルプリンタ。
【発明の詳細な説明】
【技術分野】
【０００１】
この発明は、フィンガネイルプリンタに関し、特に、載置台と付勢部材と位置決め部とを備えるフィンガネイルプリンタに関する。
【背景技術】
【０００２】
従来、載置台と付勢部材と位置決め部とを備えるフィンガネイルプリンタが知られている（たとえば、特許文献１参照）。
【０００３】
上記特許文献１には、指先押圧部材（載置部）と弾性手段（付勢部材）と指先拘束部材（位置決め部）とを備えるネイルアートプリント用指先保持機が開示されている。特許文献１では、弾性手段の押圧力によって指先押圧部材と指先拘束部材との間で指先が保持される。また、指先押圧部材を押圧力に対抗して押すことにより指先押圧部材と指先拘束部材との間に隙間が生じ、指を抜くことができる。
【先行技術文献】
【特許文献】
【０００４】
【特許文献１】特開２０１６−１５００９２号公報
【発明の概要】
【発明が解決しようとする課題】
【０００５】
上記特許文献１に記載されているようなネイルアートプリント用指先保持機を備えた従来のネイルプリンタでは、弾性手段の押圧力（付勢力）によってネイルプリントを施す指を固定している。そのため、特許文献１には記載されていないが、ネイルプリントを施す指を安定させるために、押圧力の大きい弾性手段が用いられる。しかしながら、指をネイルプリンタから抜くときにネイルプリントを施した指１本だけで指先押圧部材を押圧力に抗して押す必要があり、弾性手段（付勢部材）の押圧力（付勢力）が大きいと力が弱い子供や女性は押圧力に抗して指先押圧部材（載置部）を押すことが難しいという問題点がある。
【０００６】
この発明は、上記のような課題を解決するためになされたものであり、この発明の１つの目的は、子供や力の弱い女性などであっても付勢力に抗して載置部を容易に下方に向かって押圧することが可能なフィンガネイルプリンタを提供することである。
【課題を解決するための手段】
【０００７】
この発明の一の局面によるフィンガネイルプリンタは、装置本体と、指を置くための載置部と、載置部の上方に設けられ、載置部との間に指を挿入するための挿入口を構成するとともに指を固定するための位置決め部と、載置部に載置された指の爪に対して印刷を行うプリンタヘッドと、を備え、載置部は、挿入口を介して装置本体の内部から装置本体の外部へと延びる載置台と、載置台の側方に突出するように設けられた延出部と、載置台を位置決め部に対して付勢する付勢部材とを含み、付勢部材の付勢力により指が載置台と位置決め部との間に固定されるとともに、延出部を付勢部材の付勢力に抗して下方に押圧することにより、指の抜き差しが可能なように構成されている。
【０００８】
この発明の一の局面によるフィンガネイルプリンタでは、載置部と位置決め部とを備え、載置部は、載置台と延出部と付勢部材とを含み、付勢部材の付勢力により指が載置台と位置決め部との間に固定されるとともに、延出部を付勢部材の付勢力に抗して下方に向かって押圧することにより、指の抜き差しが可能なように構成されている。このように構成することにより、ユーザは、載置部と位置決め部の間に固定されている指を抜くときに、固定されている指以外の指で延出部を付勢部材の付勢力に抗して下方に押圧することにより指が固定されている状態を解除することができる。その結果、子供や力の弱い女性などであっても、付勢力に抗して載置台を容易に下方に向かって押圧することが可能となる。
【０００９】
この発明の一の局面によるフィンガネイルプリンタでは、好ましくは、延出部の上面に、挿入口に挿入された指以外の指が載置可能な載置領域を含む。このように構成すれば、挿入口に挿入された指以外の指を載置領域に載置することができるため、挿入口に挿入された指を載置領域に載置されたそれ以外の指で支えることができる。そのため、挿入口に挿入された指を安定させることができる。
【００１０】
この場合、好ましくは、載置領域は、載置台の両側に設けられている。このように構成すれば、挿入口に固定されている指と異なる手の指を用いて延出部を付勢部材の付勢力に抗して押圧する場合に、ユーザが使用しやすい側に設けられた延出部を用いることが可能となる。
【００１１】
上記一の局面による載置領域を含む延出部において、好ましくは、載置領域は、載置台の載置面の側方の長さ以上の側方の長さを有している。このように構成すれば、載置台には１本の指を載置するのに対し、載置領域には複数の指を載置することができる。そのため、延出部を複数の指を用いて押圧することが容易となるため、子供や力の弱い女性などであっても延出部を付勢部材の付勢力に抗してより押圧しやすくなる。
【００１２】
上記一の局面によるフィンガネイルプリンタにおいて、好ましくは、延出部は、載置台の側方に伸縮可能なように構成されている。このように構成すれば、延出部を側方に伸縮させることにより、延出部をユーザの指の大きさに応じた長さに調整することができる。
【００１３】
上記一の局面によるフィンガネイルプリンタにおいて、好ましくは、側方の長さの異なる複数の延出部を含むとともに、各々の延出部は、載置台に対して脱着可能に構成されている。このように構成すれば、ユーザの指の大きさに応じた長さの延出部を選択することができる。
【００１４】
上記一の局面によるフィンガネイルプリンタにおいて、好ましくは、延出部を側方に移動させることにより、延出部の長さを調整する調整駆動機構をさらに備える。このように構成すれば、調整駆動機構により延出部の長さが自動的に調整されるため、ユーザが延出部の長さを調整する必要がない。
【００１５】
この場合、載置台は、指のサイズに関する情報を検知するためのセンサを含み、調整駆動機構は、センサの検知結果に基づいて、延出部の長さを調整するように構成されている。このように構成すれば、センサが検知した指のサイズに関する情報に基づいて調整駆動機構が延出部の長さが自動的に調整されるので、延出部を、ユーザの指の大きさに応じた長さに自動的に調整することができる。
【００１６】
上記一の局面によるフィンガネイルプリンタにおいて、好ましくは、制御部をさらに備え、載置台は、指のサイズに関する情報を検知するためのセンサを含み、制御部は、センサの検知結果に基づいて、延出部の長さに関する情報を出力するように構成されている。このように構成すれば、センサが検知した指のサイズに関する情報に基づいて最適な延出部の長さの情報が出力されるため、延出部をユーザの指のサイズに応じて最適な長さに調整することができる。
【００１７】
この場合、好ましくは、センサは、触感センサである。このように構成すれば、圧力などを検知することにより、載置台に載置された指のサイズに関する情報を正確に取得することができる。
【００１８】
上記一の局面によるフィンガネイルプリンタにおいて、好ましくは、載置部の上方に配置された撮像部と、撮像部で撮像した上面の画像を表示部または外部の端末に出力する制御部と、をさらに備え、撮像部は、指の爪部に加えて延出部を撮像し、制御部は、撮像部による延出部の撮像結果に基づいて延出部の長さに関する情報を出力するように構成されている。このように構成すれば、表示部または外部の端末に延出部の長さに関する情報が表示されるため、ユーザは表示された情報をもとに最適な延出部の長さに調整することができる。
【発明の効果】
【００１９】
本発明によれば、子供や力の弱い女性などであっても付勢力に抗して載置台を容易に下方に向かって押圧することが可能なフィンガネイルプリンタを提供することができる。
【図面の簡単な説明】
【００２０】
【図１】本発明の第１〜第５実施形態によるフィンガネイルプリンタの全体を模式的に示した斜視図である。
【図２】本発明の第１実施形態によるフィンガネイルプリンタの内部の斜視図である。
【図３】本発明の第１実施形態による載置部と位置決め部との間隔が大きい状態を示す部分断面図である。
【図４】本発明の第１実施形態による載置部を示す図である。
【図５】本発明の第１実施形態による載置部と位置決め部との間隔が小さい状態を示す部分断面図である。
【図６】本発明の第２実施形態による延出部を示す図である。
【図７】本発明の第２実施形態による長さの異なる複数の延出部を示す図である。
【図８】本発明の第３実施形態による駆動調整機構を示すである。
【図９】本発明の第３実施形態または第４実施形態による載置部を示す図である。
【図１０】本発明の第４実施形態によるフィンガネイルプリンタのブロック図である。
【図１１】本発明の第５実施形態によるフィンガネイルプリンタのブロック図である。
【図１２】本発明の第５実施形態による表示部の表示の一例である。
【発明を実施するための形態】
【００２１】
以下、本発明の実施形態を図面に基づいて説明する。
【００２２】
［第１実施形態］
図１〜図５を参照して、本発明の第１実施形態によるフィンガネイルプリンタ１００の構成について説明する。
【００２３】
本発明の第１実施形態によるフィンガネイルプリンタ１００は、図１および図２に示すように装置本体１、載置部２、位置決め部３およびプリンタヘッド４（図２参照）を備えている。
【００２４】
フィンガネイルプリンタ１００は、載置部２に載置された指の爪に対して模様等を印刷する装置である。印刷する模様は、たとえば、装置本体１の内部に記憶されている模様であってもよく、装置本体１に接続された外部機器から読み込んだ模様であってもよい。
【００２５】
図１および図２に示すように装置本体１は、載置部２と位置決め部３とを有している。載置部２と位置決め部３との間には、指を挿入するための挿入口５が形成されている。ここで、挿入口５に指を挿入する方向をＹ１方向とし、挿入口５から指を抜く方向をＹ２方向とし、Ｙ１方向およびＹ２方向を合わせてＹ方向とする。また、Ｙ方向に水平面内で直交する方向をＸ方向とし、Ｘ方向およびＹ方向に直交する方向をＺ方向とする。
【００２６】
図３および図４に示すように、載置部２は、挿入口５を介して装置本体１の内部（Ｙ１側）から装置本体１の外部（Ｙ２側）へと延びる（Ｙ２方向に延びる）載置台２ａと、載置台２ａの側方に突出するように設けられた延出部２ｂと、載置台２ａを位置決め部３に対して付勢する付勢部材２ｃとを含む。
【００２７】
図４に示すように、載置台２ａは、Ｙ方向に延びる載置面２ｄを有する。載置面２ｄのＸ方向の長さは、特に限定されないが、指の幅が人によって異なることと、親指および小指では幅が異なることを考慮し、長さを決定する。載置面２ｄは、挿入口５に挿入された指（以下、印刷対象の指とも記載する）を固定し易くするために、たとえば指の下面の形状に沿うように凹状に形成される。ここで、指の上面とは、爪のある側（指の甲側）の面を意味し、指の下面とは上面とは反対の面を意味する。
【００２８】
載置台２ａは、Ｚ方向に移動することができるが、Ｘ方向およびＹ方向には移動されないように構成されている。また、第１実施形態に置いて、フィンガネイルプリンタ１００は、載置台２ａと延出部２ｂとが連動してＺ方向に移動するように構成されている。
【００２９】
図４に示すように、延出部２ｂは、装置本体１の外部に設けられており、載置台２ａの外側（Ｙ２側）端部からＸ方向に突出するように設けられている。延出部２ｂは、上面（Ｚ１側の面）に挿入口５に挿入された指以外の指を載置するための載置領域２ｅを有している。また、延出部２ｂは、載置台２ａの両側（Ｘ１側およびＸ２側）に載置領域２ｅを有している。図４では、載置領域２ｅを平坦面で表しているが、載置面２ｄのように凹状に形成されていてもよい。
【００３０】
載置領域２ｅは、載置台２ａの載置面２ｄのＸ方向の長さ以上のＸ方向の長さを有する。なお、両側に設けられた載置領域２ｅの長さは、Ｘ１側とＸ２側とで異なっていてもよく、同じであってもよい。
【００３１】
載置領域２ｅは、ユーザが爪に模様を印刷されているときに印刷対象の指以外の指を置くために用いられる。ユーザは、載置領域２ｅに印刷対象以外の指を複数本載置することにより印刷対象の指を安定させやすくなる。なお、載置領域２ｅを設けた場合であっても、ユーザは延出部２ｂの下面に印刷対象の指以外の指を接し、延出部２ｂを印刷対象の指とその他の指とで挟むことにより、印刷対象の指を安定させてもよい。
【００３２】
載置領域２ｅは、延出部２ｂを押圧するときにも用いられる。ユーザは、載置領域２ｅに載置された印刷対象の指と同じ手の指を用いてもよく、もう一方の手で押してもよい。たとえば、右手の人差し指の爪に模様を印刷している場合は、Ｘ２側の載置領域２ｅに中指および薬指を載置し、中指および薬指で延出部２ｂを押圧してもよく、Ｘ１側に突出した延出部２ｂを左手で押圧してもよい。
【００３３】
図３に示すような付勢部材２ｃが縮んでいる状態を維持するために、ストッパを設けてもよい。ストッパを設けることにより、ストッパを設けた位置から上方に載置台２ａが移動することを制限することができる。この場合、ユーザは載置台２ａまたは延出部２ｂを下方に押圧することによりストッパが解除されるように構成されている。ストッパは、載置台２ａの背面側（Ｙ２方向側）に取り付けられたカムと、装置本体１の内部に設けられたカムが嵌合する突起部とからなる。この場合、載置台２ａを下方（Ｚ２方向側）に押圧することによりカムが回転し、突起部にカムが嵌合したときに載置台２ａが固定され、付勢部材２ｃが縮んだ状態で維持される。
【００３４】
図５に示すように載置台２ａと位置決め部３との間隔が小さい状態のときに、ユーザは載置台２ａを下方（Ｚ２方向）に押圧し移動させることにより、付勢部材２ｃの付勢力に抗して、載置台２ａは下方に移動させる。その結果、図３に示すように、載置台２ａと位置決め部３との間の挿入口５のＺ方向の間隔が大きくなり、指を抜き差しすることができる。付勢力はＺ１方向に押し上げる力であり、付勢力によって載置台２ａが位置決め部３の方向へ押し上げられることにより、載置台２ａに載置されたユーザの指が位置決め部３の方向に押され、指が固定される。
【００３５】
図５に示すように、位置決め部３は、載置部２の上方（Ｚ１方向）に設けられる。上記のとおり、位置決め部３と載置部２との間において挿入口５が形成される。そのため、位置決め部３の形状は、たとえば、指の上面に沿うように凸状の円弧形状にする。
【００３６】
図５に示すように、プリンタヘッド４は、載置台２ａに載置された指の爪に対してインクを吐出するノズル４ａを有する。プリンタヘッド４は、たとえば、水平方向移動機構によってＸ方向とＹ方向とに移動しながら模様を印刷する。また、プリンタヘッド４は、ノズル４ａからインクを吐出し、爪に模様を印刷する。インクは、たとえば、赤、青、緑の３色を適宜組み合わせてノズル４ａから吐出される。インクは、たとえば、水性インクを用いることにより指にインクが付着した場合にインクを落としやすくできる。
【００３７】
プリンタヘッド４は、水平方向移動機構を用いて、爪に模様を印刷するときに載置台２ａに対向する位置に移動し、それ以外のときは、指を挿入するときにプリンタヘッド４に指があたらないように待機場所に移動する。
【００３８】
図５に示すように、フィンガネイルプリンタ１００は、さらに撮像部６を備える。撮像部６は、載置部２の上方（Ｚ１方向側）に設けられることにより、載置部２に載置された指の上面の画像を撮像するように構成されている。このとき、載置台２ａの側面に鏡を設け、鏡像を撮像することにより指の側面も合わせて撮像してもよい。
【００３９】
次に、第１実施形態における、フィンガネイルプリンタ１００の使用方法について以下説明する。
【００４０】
ユーザは、図５に示す状態の載置台２ａを下方（Ｚ２方向）に押圧しながら挿入口５に指を挿入する。ユーザが、載置台２ａを下方へと押圧する力を弱めることにより付勢部材２ｃが伸び、載置台２ａに付勢力が働くことにより指が固定される。このとき、フィンガネイルプリンタ１００は、撮像部６を用いた載置台２ａに載置された指を撮像し、外部の端末等に表示する。ユーザは、表示された指の画面をもとに載置台２ａに載置した指の位置を調整する。
【００４１】
次に、ユーザは爪に印刷したい模様を選択する。模様の選択は、たとえば、フィンガネイルプリンタ１００に接続された端末に模様が表示され、ユーザが模様を選択することで行われる。
【００４２】
模様が選択されると、プリンタヘッド４が稼働し、ユーザの爪に模様が印刷される。プリンタヘッド４によって爪への模様の印刷が終了すると、ユーザは載置台２ａまたは延出部２ｂを下方に押圧する。それにより、図３に示すように、付勢部材２ｃが縮み、載置台２ａと位置決め部３との間に隙間ができることにより指が固定されている状態を解除できる。以上で、ネイルプリントが終了する。
【００４３】
（第１実施形態の効果）
第１実施形態では、以下のような効果を得ることができる。
【００４４】
第１実施形態では、上記のように、フィンガネイルプリンタ１００は、載置部２と位置決め部３とを備え、載置部２は、載置台２ａと延出部２ｂと付勢部材２ｃとを含み、付勢部材２ｃの付勢力により指が載置台２ａと位置決め部３との間に固定されるとともに、延出部２ｂを付勢部材２ｃの付勢力に抗して下方に向かって押圧することにより、指の抜き差しが可能なように構成されている。このようにすることにより、ユーザは、載置部２と位置決め部３の間に固定されている指を抜くときに、固定されている指以外の指で延出部２ｂを付勢部材２ｃの付勢力に抗して下方に押圧することにより指が固定されている状態を解除することができる。その結果、子供や力の弱い女性などであっても、付勢力に抗して載置台２ａを容易に下方に向かって押圧することが可能となる。
【００４５】
また、第１実施形態では、上記のように、延出部２ｂの上面に、挿入口５に挿入された指以外の指が載置可能な載置領域２ｅを含む。このようにすれば、挿入口５に挿入された指以外の指を載置領域２ｅに載置することができるため、挿入口５に挿入された指を載置領域２ｅに載置されたそれ以外の指で支えることができる。そのため、挿入口５に挿入された指を安定させることができる。
【００４６】
また、第１実施形態では、上記のように、載置領域２ｅは、載置台２ａの両側に設けられている。このようにすれば、挿入口５に固定されている指と異なる手の指を用いて延出部２ｂを付勢部材２ｃの付勢力に抗して押圧する場合に、ユーザが使用しやすい側に設けられた延出部２ｂを用いることが可能となる。その結果、ユーザが延出部２ｂを押圧するときに、腕が交差することを抑制することができるため、延出部２ｂを押圧しやすくできる。
【００４７】
また、第１実施形態では、上記のように、載置領域２ｅは、載置台２ａの載置面２ｄの側方の長さ以上の側方の長さを有している。このようにすれば、載置台２ａには１本の指を載置するのに対し、載置領域２ｅには複数の指を載置することができる。そのため、延出部２ｂを複数の指を用いて押圧することが容易となるため、子供や力の弱い女性などであっても延出部２ｂを付勢部材２ｃの付勢力に抗してより押圧しやすくなる。
【００４８】
［第２実施形態］
次に、図１、図６および図７を参照して、第２実施形態について説明する。この第２実施形態のフィンガネイルプリンタ２００では、第１実施形態のフィンガネイルプリンタ１００の構成に加えて、延出部２２ｂが伸縮可能に構成されている。なお、第１実施形態のフィンガネイルプリンタ１００と同様の部分は同じ番号を付し、説明を省略する。
【００４９】
たとえば、図６に示すように、延出部２２ｂは載置台２ａの側方（Ｘ方向）において伸縮可能に設けられている。これによりユーザは、印刷対象の指以外を延出部２２ｂの載置領域２ｅに載置する場合に、自分の指の幅の大きさに応じた長さに延出部２２ｂを調整することができる。また、載置台２ａに載置する指によって両側の延出部２２ｂの長さを調整することもできる。たとえば、印刷対象の指が薬指の場合に、小指側の延出部２２ｂは短く、中指側の延出部２２ｂは中指と人差し指とを置くために長く設ける。
【００５０】
また、図７の例では、第２実施形態におけるフィンガネイルプリンタ２００は、Ｘ方向の長さの異なる複数の延出部２２ｂを有する。側方（Ｘ方向）の長さの異なる複数の延出部２２ｂは、それぞれ載置台２ａに対して脱着可能である。たとえば、延出部２２ｂにねじ部を設けるとともに載置台２ａの側方にねじ穴を設けることでねじ止めを行ってもよい。ユーザは、方向の長さの異なる複数の延出部２２ｂを用意することで延出部２２ｂの長さを調整することができる。
【００５１】
第２実施形態のその他の構成は、上記第１実施形態と同様である。
【００５２】
（第２実施形態の効果）
第２実施形態では、以下のような効果を得ることができる。
【００５３】
第２実施形態では、上記のように、延出部２２ｂは、載置台２ａの側方に伸縮可能なように構成されている。このようにすれば、延出部２２ｂを側方に伸縮させることにより、延出部２２ｂをユーザの指の大きさに応じた長さに調整することができる。
【００５４】
第２実施形態では、上記のように、側方の長さの異なる複数の延出部２２ｂを含むとともに、各々の延出部２２ｂは、載置台２ａに対して脱着可能に構成されている。このようにすれば、ユーザの指の大きさに応じた長さの延出部２２ｂを選択することができる。
【００５５】
第２実施形態のその他の効果は、上記第１実施形態と同様である。
【００５６】
［第３実施形態］
次に、図１、図８および図９を参照して、第３実施形態について説明する。この第３実施形態のフィンガネイルプリンタ３００では、調整駆動機構７およびセンサ８を備えている。なお、第１実施形態と同様の部分は同じ番号を付し、説明を省略する。
【００５７】
図８に示すように、第２実施形態のフィンガネイルプリンタ２００と異なり第３実施形態のフィンガネイルプリンタ３００は、調整駆動機構７を有する。調整駆動機構７は、延出部３２ｂを側方（Ｘ方向）に移動させることにより延出部３２ｂの長さを調整する。調整駆動機構７は、モータを有する。たとえば、調整駆動機構７は、ラックアンドピニオン機構で構成されており、モータによってピニオンが回転する。
【００５８】
図９に示すように、載置台２ａにセンサ８が設けられている。センサ８は、シート状の触感センサである。センサ８は載置台２ａに載置されている指の圧力を検知し、指のサイズ（大きさ、長さ）を検知する。なお、図９ではセンサ８を誇張して記載しているが、様々なサイズの指に対応することが可能であれば、センサ８の形状および大きさ（Ｙ方向およびＸ方向の長さ）は特に限定されない。
【００５９】
調整駆動機構７は、センサ８の検知結果に基づいて、延出部３２ｂの長さを調整するように構成されている。たとえば、センサ８によって載置台２ａに小指が載置されていると検知した場合に、フィンガネイルプリンタ３００は、印刷対象の指を安定させるために、薬指および中指を載置できるように調整駆動機構７を用いて延出部３２ｂの長さを長くする。
【００６０】
第３実施形態のその他の構成は、上記第１実施形態と同様である。
【００６１】
（第３実施形態の効果）
第３実施形態では、以下のような効果を得ることができる。
【００６２】
第３実施形態では、上記のように、延出部３２ｂを側方に移動させることにより、延出部３２ｂの長さを調整する調整駆動機構７をさらに備える。このようにすれば、調整駆動機構７により延出部３２ｂの長さが自動的に調整されるため、ユーザが延出部３２ｂの長さを調整する必要がない。
【００６３】
第３実施形態では、載置台２ａは、指のサイズに関する情報を検知するためのセンサ８を含み、調整駆動機構７は、センサ８の検知結果に基づいて、延出部３２ｂの長さを調整するように構成されている。このようにすれば、センサ８が検知した指のサイズに関する情報に基づいて調整駆動機構７が延出部３２ｂの長さが自動的に調整されるので、延出部３２ｂをユーザの指の大きさに応じた長さに自動的に調整することができる。
【００６４】
第３実施形態のその他の効果は、上記第１実施形態と同様である。
【００６５】
［第４実施形態］
次に、図１、図９および図１０を参照して、第４実施形態について説明する。この第４実施形態のフィンガネイルプリンタ４００では、第１実施形態の構成に加え、センサ８と、制御部９を備えている。なお、第１実施形態と同様の部分は同じ番号を付し、説明を省略する。
【００６６】
図９に示すように、載置台２ａにセンサ８が設けられている。センサ８は、触感センサである。センサ８は載置台２ａに載置されている指の圧力を検知し、指のサイズ（大きさ、長さ）を検知する。なお、図９ではセンサ８を誇張して記載しているが、様々なサイズの指に対応することが可能であれば、センサ８の形状および大きさ（Ｙ方向およびＸ方向の長さ）は特に限定されない。
【００６７】
図１０に示すように、フィンガネイルプリンタ４００は、制御部９を備える。制御部９は、たとえば、ＣＰＵ（Ｃｅｎｔｒａｌ  Ｐｒｏｃｅｓｓｉｎｇ  Ｕｎｉｔ）である。
【００６８】
制御部９は、センサ８の検知結果に基づいて、延出部３２ｂの長さに関する情報を出力するように構成されている。制御部９は、たとえば、センサ８が印刷対象の指が小指であると検知した場合は、印刷対象の指を安定させるために薬指および中指を載置できるように延出部３２ｂの長さを長くするように情報を出力する。また、制御部９は、たとえば、印刷対象の指が小指である場合は、両側の延出部３２ｂではなく片側の延出部３２ｂの長さを長くするようにといった内容の情報を出力する。出力先は、たとえば、ユーザが有している外部の端末である。ユーザは、出力された情報をもとに延出部３２ｂの長さを調整する。
【００６９】
第４実施形態のその他の構成は、上記第１実施形態と同様である。
【００７０】
（第４実施形態の効果）
第４実施形態では、以下のような効果を得ることができる。
【００７１】
第４実施形態では、上記の通り、制御部９をさらに備え、載置台２ａは、指のサイズに関する情報を検知するためのセンサ８を含み、制御部９は、センサ８の検知結果に基づいて、延出部３２ｂの長さに関する情報を出力するように構成されている。このようにすれば、センサ８が検知した指のサイズに関する情報に基づいて最適な延出部３２ｂの長さの情報が出力されるため、延出部３２ｂをユーザの指のサイズに応じて最適な長さに調整することができる。
【００７２】
第４実施形態では、上記の通り、センサ８は、触感センサである。このように構成すれば、圧力などを検知することにより、載置台２ａに載置された指のサイズに関する情報を正確に取得することができる。
【００７３】
第４実施形態のその他の効果は、上記第１実施形態と同様である。
【００７４】
［第５実施形態］
次に、図１および図１１を参照して、第５実施形態について説明する。この第５実施形態のフィンガネイルプリンタ５００では、第１実施形態の構成に加えて、制御部９をさらに備えている。なお、第１実施形態と同様の部分は同じ番号を付し、説明を省略する。
【００７５】
撮像部６は、載置部２に載置された指の上面の画像を撮像するように構成されている。また、撮像部６は、移動することにより画角が変わり延出部２ｂを撮像することができる。
【００７６】
制御部９は、撮像部６で撮像された画像を表示部１０または外部の端末１１に表示する制御を行う。図１２に示すように、撮像部６で撮像された画像は、表示部１０または外部の端末１１に出力される。たとえば、表示部１０は、装置本体１が有するモニタまたは装置本体１に接続されたモニタであってもよく、外部の端末１１は、ユーザが所有しているスマートフォンの画面、携帯電話の画面、またはパソコンの画面であってもよい。また、表示部１０および外部の端末１１は爪に印刷する模様を選択するための表示がされてもよい。
【００７７】
制御部９は、延出部２ｂの長さに関する情報を出力する制御を行う。制御部９は、撮像部６で撮像された延出部２ｂの長さと指の上面の画像から延出部２ｂの長さに関する情報を表示部１０に表示する。たとえば、載置台２ａに小指が載置されている場合に、印刷対象の指を安定させるために薬指および中指を載置できるように延出部２ｂの長さを長くするように情報を表示する。その結果、ユーザは、表示された情報をもとに延出部２ｂの長さを調整する。
【００７８】
第５実施形態のその他の構成は、上記第１実施形態と同様である。
【００７９】
（第５実施形態の効果）
第５実施形態では、以下のような効果を得ることができる。
【００８０】
第５実施形態では、上記の通り、載置部２の上方に配置された撮像部６と、撮像部６で撮像した上面の画像を表示部１０または外部の端末１１に出力する制御部９と、をさらに備え、撮像部６は、指の爪部に加えて延出部２ｂを撮像し、制御部９は、撮像部６による延出部２ｂの撮像結果に基づいて延出部２ｂの長さに関する情報を出力するように構成されている。このようにすれば、表示部１０または外部の端末１１に延出部２ｂの長さに関する情報が表示されるため、ユーザは表示された情報を元に最適な延出部２ｂの長さになるように延出部２ｂを調整することができる。
【００８１】
第５実施形態のその他の効果は、上記第１実施形態と同様である。
【００８２】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８３】
たとえば、上記第１実施形態では、載置領域は、載置台の載置面の側方（Ｘ方向）の長さ以上の側方（Ｘ方向）の長さを有する例を示したが、本発明はこれに限られない。本発明では、載置領域は、載置台の載置面の側方（Ｘ方向）の長さよりも短い側方（Ｘ方向）の長さを有していてもよい。
【００８４】
また、上記第１実施形態では、延出部を載置台の両側に設ける例を示したが、本発明はこれに限られない。本発明では、延出部を片側だけに設けてもよい。
【００８５】
また、上記第２実施形態では、複数の延出部を載置台の側方にねじでとめる例を示したが、本発明はこれに限られない。本発明では、たとえば、延出部にピンを設け、載置台に挿入することにより、ピン先が広がり固定されてもよい。
【００８６】
また、上記第３実施形態および第４実施形態では、センサが触感センサである例を示したが、本発明はこれに限られない。本発明では、指のサイズに関する情報を検知できれば、いかなるセンサを用いてもよい。
【００８７】
また、上記第３実施形態および第４実施形態では、センサによって指のサイズに関する情報を検知する例を示したが、本発明はこれに限られない。本発明では、制御部は、撮像部において撮像した指の画像から指のサイズに関する情報を検出してもよい。
【００８８】
また、上記第３実施形態では、調整駆動部がラックアンドピニオン機構で構成される例を示したが、本発明はこれに限られない。本発明では、ベルトアンドプーリー機構で構成されていてもよい。
【００８９】
また、上記第４実施形態では、センサで検知した検知結果に基づいて延出部の長さに関する情報を出力したが、本発明はこれに限られない。本発明では、センサの検知結果をもとに、他の用途に用いてもよい。たとえば、印刷対象の指が大人の指か子供の指かを検知し、制御部は選択する模様の種類の表示順位を変更するように設計してもよい。
【００９０】
また、上記第５実施形態では、撮像部が指の上面の画像と延出部の画像とを撮像する例を示したが、本発明はこれに限られない。本発明では、撮像部を複数設けることにより、指の上面と延出部を撮像してもよい。
【符号の説明】
【００９１】
１  装置本体
２  載置部
２ａ  載置台
２ｂ、２２ｂ、３２ｂ  延出部
２ｃ  付勢部材
２ｄ  載置面
２ｅ  載置領域
３  位置決め部
４  プリンタヘッド
５  挿入口
６  撮像部
７  調整駆動機構
８  センサ
９  制御部
１０  表示部
１１  端末
１００、２００、３００、４００、５００  フィンガネイルプリンタ
【図１】
2020028406.tif 000003
【図２】
2020028406.tif 000004
【図３】
2020028406.tif 000005
【図４】
2020028406.tif 000006
【図５】
2020028406.tif 000007
【図６】
2020028406.tif 000008
【図７】
2020028406.tif 000009
【図８】
2020028406.tif 000010
【図９】
2020028406.tif 000011
【図１０】
2020028406.tif 000012
【図１１】
2020028406.tif 000013
【図１２】
2020028406.tif 000014